(57)【特許請求の範囲】
【請求項１】
太陽電池の出力電圧を昇圧する昇圧回路を備え、太陽電池の発電電力を交流電力に変換する電力変換装置の起動方法において、前記太陽電池の出力電圧が第１の電圧設定値以上になると、制御電源を系統電源から得て、前記昇圧回路を起動し、前記太陽電池の出力電圧が前記第１の電圧設定値よりも大きい第２の電圧設定値になるように前記昇圧回路を電圧制御し、前記電圧制御中に前記太陽電池の出力電流が第１の電流設定値を超えると、前記電力変換装置のインバータを起動させることを特徴とする太陽光発電用電力変換装置の起動方法。
【請求項２】
太陽電池の出力電圧を昇圧する昇圧回路を備え、太陽電池の発電電力を交流電力に変換する電力変換装置の起動方法において、前記太陽電池の出力電圧が第１の電圧設定値以上になると、制御電源を系統電源から得て、前記昇圧回路を起動し、前記太陽電池の出力電流が、第１の電流設定値になるように前記昇圧回路を電流制御し、前記電流制御中に前記太陽電池の出力電圧が前記第１の電圧設定値より大きい第２の電圧設定値を超えると、前記電力変換装置のインバータを起動させることを特徴とする太陽光発電用電力変換装置の起動方法。
【発明の詳細な説明】
【０００１】
【発明の属する技術分野】
本発明は、太陽光発電用電力変換装の起動方法に関する。
【０００２】
【従来の技術】
従来、太陽光発電用インバータの起動判断は、太陽電池の出力電圧を監視して太陽電池の出力電圧が基準値以上になると、電力変換装置を起動する（以下従来技術１という）。
例えば、特開昭６０−６９７２０にあるように太陽電池の出力を短絡して短絡電流を監視し、太陽電池の短絡電流が基準値以上になると電力変換装置を起動する（従来技術２）方法で行っていた。
【０００３】
【発明が解決しようとする課題】
太陽電池はその特性から、日射量によって発電電力が大きく変動する。太陽電池から出力電力を有効に取り出すには、太陽電池の発電電力が小さくても電力を取り出すことが望ましい。従って、電力変換装置が停止している状態で、夜から朝になるように日射量が少ない方から次第に増えていくような場合には、太陽電池の発電電力の増加を的確にとらえ電力変換装置を起動することが、太陽電池から有効に電力を取り出すことになる。
電力変換装置の起動判断で、太陽電池の出力電圧を監視し、太陽電池の発電電力を推定する従来技術１の方法では、低日射時に太陽電池から電流を取らなければ太陽電池の出力電圧はすぐ上昇し、電流を取ると出力電圧がすぐに下降してしまうといった太陽電池の特性があるため、太陽電池の発電電力の推定は困難となり、電力変換装置の起動時にチャタリングを起こしやすい。また、前記太陽電池の短絡電流やダミー負荷の電力を監視する従来技術２の方法では、太陽電池の発電電力を比較的容易に推定、計測できるが、短絡や負荷接続によって太陽電池の出力電力を損失として消費しているため、この間は太陽電池が発電している電力の利用ができないという問題があった。
【０００４】
【課題を解決するための手段】
上記問題を解決するために、本発明は、太陽電池の出力電圧を昇圧する昇圧回路を備え、太陽電池の発電電力を交流電力に変換する電力変換装置の起動方法において、前記太陽電池の出力電圧が第１の電圧設定値以上になると、制御電源を系統電源から得て、前記昇圧回路を起動し、前記太陽電池の出力電圧が前記第１の電圧設定値よりも大きい第２の電圧設定値になるように前記昇圧回路を電圧制御し、前記電圧制御中に前記太陽電池の出力電流が第１の電流設定値を超えると、前記電力変換装置のインバータを起動させるものである。
また、太陽電池の出力電圧を昇圧する昇圧回路を備え、太陽電池の発電電力を交流電力に変換する電力変換装置の起動方法において、前記太陽電池の出力電圧が第１の電圧設定値以上になると、制御電源を系統電源から得て、前記昇圧回路を起動し、前記太陽電池の出力電流が、第１の電流設定値になるように前記昇圧回路を電流制御し、前記電流制御中に前記太陽電池の出力電圧が前記第１の電圧設定値より大きい第２の電圧設定値を超えると、前記電力変換装置のインバータを起動させるものである。
【０００５】
【発明の実施の形態】
以下、本発明の実施例を図に基づいて説明する。
図１が本発明の実施例、図２が本発明の第１の実施例の動作フローチャートである。図中１は太陽電池、２は昇圧チョッパ、３はチョッパ出力コンデンサ、４，８は逆流防止用ダイオード、５はインバータ、６は系統電源、７は整流ブリッジダイオード、９は平滑コンデンサ、１０は制御電源及び制御回路、１１は電流検出器である。
太陽電池１の出力電圧Ｖｓｏｌａは、昇圧チョッパ２へ入力される。昇圧チョッパ２は、太陽電池１の出力電圧を昇圧し、昇圧チョッパ２の出力端子間には、チョッパ出力電圧を平滑化するチョッパ出力コンデンサ３が接続される。チョッパ出力コンデンサ３で平滑された電圧は、インバータ５へ入力され、インバータ５の出力端子は系統電源６と整流ブリッジダイオード７の入力端子に並列接続される。この整流ブリッジダイオード７の出力は、逆流防止ダイオード８を介して、前記チョッパ出力コンデンサ３の両端と制御電源・制御回路１０へ供給される。制御電源・制御回路１０には、太陽電池の出力電圧、出力電流およびチョッパ出力コンデンサ３の両端子電圧が入力される。
【０００６】
次に本発明の第１の実施例の動作を図２に基づいて説明する。
明け方に太陽が登り始め太陽電池に日が射し、太陽電池の出力電圧（Ｖｓｏｌａ）がある基準値（第１の電圧設定値Ｖｓｓ）を超える（図２のステップ１１０）と、制御電源がＯＮ（図２のステップ１２０）となって系統側の整流回路から電源をもらう。制御電源が入ると、次に制御回路は昇圧チョッパ起動ソフトをスタートさせ、昇圧チョッパを起動させる。昇圧チョッパは時比率を０から次第に増加させていき、太陽電池の出力電圧が第１の電圧設定値より大きい第２の電圧設定値Ｖｓｔになるように昇圧回路を電圧制御する（ステップ１４０）。この時、太陽電池が電力変換装置の制御電源に使えるだけの電力を発電していれば、ダイオード優先回路によって制御電源は昇圧チョッパの出力から自動的に取られる。制御回路は太陽電池出力電流Ｉｓｏを監視してＩｓｏが第１の電流設定値を超える（ステップ１５０）と、制御回路は太陽電池の電圧の設定値を変更し、昇圧チョッパの出力電圧をインバータ出力電圧が系統電源６に連係できるまで上昇させて、インバータが系統に電力を送れるような電圧にし、インバータを起動し送電を開始する（ステップ１６０）。
太陽電池出力電圧は制御電源をオンにする信号にのみ使われるためチャタリングを起こさない。
【０００７】
本発明の第２の実施例の動作フローチャートを図３に示す。
図３のフローチャートにおいて図２と異なる点は、ステップ１４１と１５１だけであり、その他のステップ１１０、１２０、１３０、１６０は図２と同じである。
次に動作を説明する。昇圧チョッパ回路を起動させるところまでのステップ１１０〜１３０は図２と同じである。
次に昇圧回路は時比率を０から次第に増加させていき、太陽電池の出力電流（Ｉｓｏｌａ）を第１の電流設定値Ｉｓｏになるように電流制御する（ステップ１４１）。この時、太陽電池が電力変換装置の制御電源をまかなうだけの電力を発電していれば、ダイオード優先回路によって制御電源は、昇圧チッパの出力から自動的に取られる。制御回路は太陽電池の出力Ｖｓｏｌａを監視して、Ｖｓｏｌａが第１の電圧設定値より大きい第２の電圧設定値Ｖｓｏを超えると（ステップ１５１）、制御回路は太陽電池の電圧設定値を変更し、昇圧チョッパの出力電圧を上昇させて、インバータ出力電圧を系統電源に連系できるまで昇圧させる。このようにしてインバータが系統に電力を送れるような電圧にし、インバータを起動し、送電を開始する（ステップ１６０）。
太陽電池出力電圧は制御電源をオンにする信号にのみ使われるためチャタリングを起こさない。前記従来技術２の短絡電流方式よりも電流の設定値を小さくできる。
【０００８】
【発明の効果】
以上述べたように、本発明によれば、従来方式に比べ、次の効果がある。
（１）太陽電池の発電電力を容易に計測することができる。
（２）太陽電池の発電電力を早期に利用できる。
（３）電力変換装置の起動時のチャタリングを防止できる。
【図面の簡単な説明】
【図１】本発明の実施例
【図２】本発明の第１実施例フローチャート
【図３】本発明の第２実施例フローチャート
【符号の説明】
１  太陽電池
２  昇圧チョッパ
３  チョッパ出力コンデンサ
４，８  逆流防止用ダイオード
５  インバータ
６  系統電源
７  整流ブリッジダイオード
９  平滑コンデンサ
１０  制御電源・制御回路
１１  電流検出器
【図１】
0003601142.tif 000002
【図２】
0003601142.tif 000003
【図３】
0003601142.tif 000004